(57)【要約】【課題】小型化しやすい電力変換装置を提供すること。【解決手段】電力変換装置１は、一次コイルと二次コイルとを有するトランス２と、一次コイル側に接続された一次側回路部３と、二次コイル側に接続された二次側回路部４とを備える。そして、一次側回路部３の一部、二次側回路部４の一部又は一次側回路部３及び二次側回路部４の少なくとも一方を制御する制御回路部が少なくとも形成された複数の回路基板７を備える。複数の回路基板７のうちの少なくとも一対の回路基板７３，７４は互いの主面７３ａ、７４ａを対向させて配設されている。【選択図】図１
2015073342.tif 000002
【特許請求の範囲】
【請求項１】
一次コイル（２１）と二次コイル（２２）とを有するトランス（２）と、
該トランス（２）の上記一次コイル（２１）側に接続された一次側回路部（３）と、
上記トランス（２）の上記二次コイル（２２）側に接続された二次側回路部（４）と、
上記一次側回路部（３）の一部、上記二次側回路部（４）の一部又は上記一次側回路部（３）及び上記二次側回路部（４）の少なくとも一方を制御する制御回路部（９）が少なくとも形成された複数の回路基板（７）と、を備え、
上記複数の回路基板（７）のうちの少なくとも一対の回路基板（７３、７４、７５）は互いの主面（７３ａ、７４ａ、７５ａ）を対向させて配設されていることを特徴とする電力変換装置（１）。
【請求項２】
上記トランス（２）は、上記一対の回路基板（７３、７４、７５）において対向する互いの上記主面（７３ａ、７４ａ、７５ａ）の間に配設されていることを特徴とする請求項１に記載の電力変換装置（１）。
【請求項３】
上記トランス（２）は、上記一次コイル（２１）又は上記二次コイル（２２）のうちの少なくとも一方を露出させるコイル露出部（２０ａ）が形成されているとともに、該コイル露出部（２０ａ）が上記一対の回路基板（７３、７４、７５）のうちの少なくとも一方に対向するように配設されていることを特徴とする請求項２に記載の電力変換装置（１）。
【請求項４】
上記一次側回路部（３）はスイッチング回路部（３ａ）を有するとともに、上記二次側回路部（４）は整流回路部（４ａ）を有しており、上記トランス（２）、上記スイッチング回路部（３ａ）を構成する一次側半導体部品（３０）、及び上記整流回路部（４ａ）を構成する二次側半導体部品（４０）のうちの少なくとも一つを含む複数の電子部品を積層してなる積層体（１１、１２）が、上記一対の回路基板（７３、７４、７５）において対向する上記互いの主面（７３ａ、７４ａ、７５ａ）の間に位置するように、配設されていることを特徴とする請求項１〜３のいずれか一項に記載の電力変換装置（１）。
【請求項５】
上記積層体として、第１積層体（１１）及び第２積層体（１２）を有し、上記第１積層体（１１）は上記複数の電子部品として少なくとも上記トランス（２）及び上記一次側半導体部品（３０）を有しており、上記第２積層体（１２）は上記複数の電子部品として少なくとも上記二次側半導体部品（４０）を有しているとともに、上記第１積層体（１１）及び上記第２積層体（１２）は上記一対の回路基板（７３、７４、７５）において対向する互いの上記主面（７３ａ、７４ａ、７５ａ）の間に位置するように配設されていることを特徴とする請求項４に記載の電力変換装置（１）。
【請求項６】
上記一次側回路部（３）は電力が入力される入力端子（８１）と上記スイッチング回路部（３ａ）との間に入力フィルタ回路部（３ｂ）を有し、上記二次側回路部（４）は電力が出力される出力端子（８２）と上記整流回路部（４ａ）との間に出力フィルタ回路部（４ｂ）を有し、上記複数の回路基板（７）は上記入力フィルタ回路部（３ｂ）の一部又は上記出力フィルタ回路部（４ｂ）の一部が少なくとも形成された回路基板（７３、７４）を有し、上記一対の回路基板（７３、７４）のうちの一方は上記入力フィルタ回路部（３ｂ）の一部を形成する回路基板（７３）であり、他方は上記出力フィルタ回路部（４ｂ）の一部を形成する回路基板（７４）であることを特徴とする請求項４又は５に記載の電力変換装置（１）。
【請求項７】
上記入力端子（８１）と上記出力端子（８２）との間に、上記一対の回路基板（７３、７４、７５）が配設されていることを特徴とする請求項６に記載の電力変換装置（１）。
【請求項８】
上記一対の回路基板（７３、７４、７５）の少なくとも一方は、該回路基板（７３）の少なくとも一方の主面（７３ａ、７３ｂ）に平行に積層されて形成された接地導体層（７３ｃ）を有することを特徴とする請求項１〜７のいずれか一項に記載の電力変換装置（１）。
【請求項９】
上記一対の回路基板（７３、７４）は、該一対の回路基板（７３、７４）のうちの一方の回路基板（７３）が通電されることによって形成される磁界（７３ｄ）の向きと、他方の回路基板（７４）が通電されることによって形成される磁界（７４ｄ）の向きとが、反対方向となるように配設されていることを特徴とする請求項１〜８のいずれか一項に記載の電力変換装置（１）
【発明の詳細な説明】
【技術分野】
【０００１】
本発明は、トランスを備えた電力変換装置に関する。
【背景技術】
【０００２】
ＤＣ−ＤＣコンバータ等の電力変換装置は、トランス、半導体部品、コンデンサ、コイル等の各種電子部品を有する。そして、電力変換装置には、制御回路や主回路の一部を構成する回路基板が設けてある。例えば、特許文献１に開示された電力変換装置では、ケース内において、複数の回路基板の主面が同一平面上に位置するように配設されている。
また、近年、電力変換装置の構成部品であるトランス等の電子部品の小型化に伴い、電力変換装置の小型化が可能となってきている。
【先行技術文献】
【特許文献】
【０００３】
【特許文献１】特開２０１３−９０５３３号公報
【発明の概要】
【発明が解決しようとする課題】
【０００４】
しかしながら、二次元的に広がる回路基板は、他の部品よりも小型化が難しい場合があるため、電力変換装置の小型化に伴い、電力変換装置内における回路基板の配置空間の確保が困難となりつつある。そして、特許文献１に開示の電力変換装置のように、複数の回路基板をそれらの主面が同一平面上に位置するように配設する場合には、回路基板の主面に平行な方向、すなわち回路基板の広がり方向において、複数の回路基板全体として大型化して、その法線方向における装置全体の投影面積が大きくなりやすい。また、一枚の回路基板に必要な回路を納めて配置する場合においても同様に、当該回路基板の広がり方向に大型化して、その法線方向における装置全体の投影面積が大きくなりやすい。そのため、電力変換装置の体格の小型化が困難となりやすい。
【０００５】
本発明は、かかる背景に鑑みてなされたものであり、小型化しやすい電力変換装置を提供しようとするものである。
【課題を解決するための手段】
【０００６】
本発明の一態様は、一次コイルと二次コイルとを有するトランスと、
該トランスの上記一次コイル側に接続された一次側回路部と、
上記トランスの上記二次コイル側に接続された二次側回路部と、
上記一次側回路部の一部、上記二次側回路部の一部又は上記一次側回路部及び上記二次側回路部の少なくとも一方を制御する制御回路部が少なくとも形成された複数の回路基板と、を備え、
上記複数の回路基板のうちの少なくとも一対の回路基板は互いの主面を対向させて配設されていることを特徴とする電力変換装置にある。
【発明の効果】
【０００７】
上記電力変換装置においては、複数の回路基板のうちの少なくとも一対の回路基板は互いの主面を対向させて配設されている。それゆえ、当該一対の回路基板の主面は同一平面上に位置することがなく、複数の回路基板をその広がり方向に並べて配置する場合や、一枚の回路基板に必要な回路を納めて配置する場合に比べて、複数の回路基板全体について、特定の方向への投影面積が大きくなることを抑制することができる。
その結果、電力変換装置の体格が特定方向へ大型化することを抑制することができ、小型化しやすい電力変換装置を得ることができる。
【０００８】
以上のごとく、本発明によれば、小型化しやすい電力変換装置を提供することができる。
【図面の簡単な説明】
【０００９】
【図１】実施例１における、上面側に配置される回路基板を取り外した状態の電力変換装置の上面図。
【図２】図１における、II−II線断面図。
【図３】実施例１における、電力変換装置に発生する磁界を説明する図面。
【図４】変形例における、回路基板の断面拡大図。
【図５】実施例２における、電力変換装置の上面図。
【図６】図５における、VI−VI線断面図。
【図７】実施例３における、電力変換装置の上面図。
【発明を実施するための形態】
【００１０】
上記電力変換装置において、複数の回路基板には、一次側回路部の一部、二次側回路部の一部又は一次側回路部及び二次側回路部の少なくとも一方を制御する制御回路部が少なくとも形成されている。一次側回路部は、例えば、スイッチング回路部、入力フィルタ回路部を有している。二次側回路部は、例えば、整流回路部、出力フィルタ回路部を有している。入力フィルタ回路部を構成する電子部品及び出力フィルタ回路部を構成する電子部品としては、例えば、コンデンサやコイル等がある。
【実施例】
【００１１】
（実施例１）
上記電力変換装置の実施例につき、図１〜図３を用いて説明する。
本例の電力変換装置１は、図１、図２に示すように、一次コイル２１と二次コイル２２とを有するトランス２と、トランス２の一次コイル２１側に接続された一次側回路部３と、トランス２の二次コイル２２側に接続された二次側回路部４とを備える。本例では、一次側回路部３は、スイッチング回路部３ａ及び入力フィルタ回路部３ｂを有し、二次側回路部４は、整流回路部４ａ及び出力フィルタ回路部４ｂを有する。
【００１２】
さらに、電力変換装置１は、複数の回路基板７を備えている。複数の回路基板７には、一次側回路部３の一部、二次側回路部４の一部又は一次側回路部３及び二次側回路部４の少なくとも一方を制御する制御回路部が少なくとも形成されている。本例では、複数の回路基板７として、一次側回路部３の一部が形成された回路基板７１、二次側回路部４の一部が形成された回路基板７２、一次側回路部３の一部である入力フィルタ回路部３ｂが形成された回路基板７３、二次側回路部４の一部である出力フィルタ回路部４ｂが形成された回路基板７４と、図示しない制御回路部が形成された回路基板が備えられている。
【００１３】
そして、複数の回路基板７のうちの一対の回路基板７３、７４は互いの主面７３ａ、７４ａを対向させて配設されている。ここで、主面とは、その回路基板においてその広がり方向に沿う面をいうものとする。
【００１４】
本例において、電力変換装置１は、ＤＣ−ＤＣコンバータであり、例えば電気自動車やハイブリッド自動車に搭載され、直流電源の高圧の直流電力を低圧の直流電圧に降圧し、補機用バッテリに供給するために用いられる。
【００１５】
トランス２は、図２に示すように、コイル２０及びコア２５を有する。コア２５は、第１コア２３と第２コア２４に分割して形成されたＥＥ型のコアであって、第１コア２３と第２コア２４との間にコイル２０を介在させることによって、コイル２０がコア２５に挟まれて、トランス２が形成されている。コイル２０として、一次コイル２１及び二次コイル２２が備えられている。トランス２において、一次コイル２１及び二次コイル２２はコア２５の軸部２５ａに巻回されるように配置されている。そして、図１に示すように、トランス２のＸ方向の両端側において、一次コイル２１及び二次コイル２２の一部が露出したコイル露出部２０ａ、２０ｂが形成されている。そして、一次コイル２１は一次側回路部３に接続されている。
【００１６】
一次側回路部３の一部であるスイッチング回路部３ａは、複数のスイッチング素子を内蔵した半導体モジュールからなる一次側半導体部品３０（図１、２参照）を備えている。スイッチング素子としては、例えばＩＧＢＴ（絶縁ゲートバイポーラトランジスタ）又はＭＯＳＦＥＴ（ＭＯＳ型電界効果トランジスタ）を用いることができる。なお、一次側半導体部品３０は必ずしも半導体モジュールである必要はなく、例えば、ディスクリートの半導体部品であってもよい。
【００１７】
図２に示すように、スイッチング回路部３ａを構成する一次側半導体部品３０は、ケース８の内側底面８０ａに平行に配置されており、一次側半導体部品３０における一方の主面３０ａ（内側底面８０ａと反対側の面）にはトランス２が配設されている。これにより、スイッチング回路部３ａ（一次側半導体部品３０）とトランス２とが積層されて、第１積層体１１を形成している。
【００１８】
二次側回路部４の一部である整流回路部４ａは、複数のダイオードを内蔵したダイオードモジュールからなる二次側半導体部品４０を備えている。なお、二次側半導体部品４０は、複数のＭＯＳＦＥＴを内蔵した半導体モジュールであってもよい。さらに、二次側半導体部品４０は、ディスクリートの半導体部品であってもよい。
【００１９】
図２に示すように、整流回路部４ａを構成する二次側半導体部品４０は、ケース８の内側底面８０ａに平行に配置されており、整流回路部４ａの上（内側底面８０ａと反対側の面）には、コンデンサ６２が配設されている。これにより、整流回路部４ａ（二次側半導体部品４０）とコンデンサ６２とが積層されて、第２積層体１２を形成している。
【００２０】
回路基板７１は、図２に示すように、第１積層体１１を、ケース８の内側底部８０ａの反対側から覆うように内側底部８０ａと平行に設けられており、一次側半導体部品３０と接続されて一次側回路部３の一部を構成している。また、回路基板７２は、第２積層体１２を、ケース８の内側底部８０ａの反対側から覆うように内側底部８０ａと平行に設けられており、二次側半導体部品４０と接続されて二次側回路部４の一部を構成している。そして、回路基板７１及び回路基板７２は、互いの第１主面７１ａ、７２ａとが同一平面上に位置するように、平行に配設されている。
【００２１】
一次側回路部３は、電力が入力される入力端子８１とスイッチング回路部３ａとの間に入力フィルタ回路部３ｂを有する。入力フィルタ回路部３ｂは平滑回路を構成しており、チョークコイル５１を備えている。図１に示すように、入力フィルタ回路部３ｂを構成するチョークコイル５１は回路基板７３の第２主面７３ｂに搭載されている。回路基板７３には、電力が入力される入力端子８１が設けられている。回路基板７３は、図２に示すように、その主面７３ａ、７３ｂが、回路基板７１、７２の第１主面７１ａ、７２ａに対する法線方向に平行となるように配設されている。
【００２２】
さらに、回路基板７３には、回路基板７３の第１主面７３ａに平行に接地導体層７３ｃが積層されている。すなわち、回路基板７３は、例えば、多層プリント配線板によって構成されており、複数の導体層７３のうちの一層を、接地導体層７３ｃとしている。接地導体層７３ｃは、特に、回路基板７３における、トランス２に対向する部位に設けられることが好ましい。
【００２３】
二次側回路部４は、電力が出力される出力端子８２と整流回路部４ａとの間に出力フィルタ回路部４ｂを有する。出力フィルタ回路部４ｂは平滑回路を構成しており、チョークコイル６１、コンデンサ６２を備えている。出力フィルタ回路部４ｂを構成するチョークコイル６１は回路基板７４の第２主面７４ｂに搭載されている。回路基板７４には、図１に示すように、電力が出力される入出力端子８２が設けられている。回路基板７４は、図２に示すように、その主面７４ａ、７４ｂが、回路基板７１、７２の第１主面７１ａ、７２ａに対する法線方向に平行となるように配設されている。
【００２４】
図２に示すように、一対の回路基板７３、７４は、それぞれの主面７３ａ、７４ａが互いに対向するように配設されている。そして、対向する互いの主面７３ａ、７４ａの間に、第１積層体１１及び第２積層体１２が配設されている。そして、回路基板７３の主面７３ａは第１積層体１１に対向し、回路基板７４の主面７４ａは第２積層体１２に対向している。
【００２５】
トランス２には、コイル２０の一部を露出させるコイル露出部２０ａ、２０ｂが形成されている。コイル露出部２０ａは回路基板７３の主面７３ａに対向しており、コイル露出部２０ｂは、第２積層体１２側に面している。
【００２６】
本例の電力変換装置１では、入力端子８１を介して電力変換装置１に入力された直流電力は、入力フィルタ回路部３ｂ（平滑回路）において平滑化された後、スイッチング回路部３ａにおいて交流電力に変換されて、トランス２に入力される。トランス２に入力された交流電力は降圧された後、整流回路部４ａにおいて整流されて直流電力となる。そして、降圧後の直流電力は、出力フィルタ回路部４ｂ（平滑回路）において平滑化された後、出力端子８２を介して出力される。
【００２７】
本例では、図３に示すように、一対の回路基板７３、７４のうち、一方の回路基板７３において電流はＰ１の方向に流れ、他方の回路基板７４において電流はＰ１と反対方向であるＰ２の方向に流れるように配設されている。これにより、一方の回路基板７３を通電すると第１の磁界７３ｄが生じ、他方の回路基板７４を通電すると第２の磁界７４ｄが生じる。そして、第１の磁界７３ｄの向きと第２の磁界７４ｄの向きとが、反対方向となるように配設されている。
【００２８】
複数の回路基板７には、図示しない制御回路部（ドライブ回路部）が形成されている回路基板が備えられる。そして、当該回路基板における制御回路部には、一次側半導体部品３０が接続されており、制御回路部からの信号電流によって、一次側半導体部品３０の各スイッチング素子が制御されて、スイッチング回路部３ａにおいてスイッチング動作を行うよう構成されている。
【００２９】
なお、回路基板７１と回路基板７２とは、互いに繋がっていてもよいし、互いに独立していてもよい。また、互いに繋がっている場合においても、回路基板７１と回路基板７２とが電気的に接続されていてもよいし、電気的に接続されていなくてもよい。
【００３０】
次に、本例の作用効果につき説明する。
本例の電力変換装置１においては、複数の回路基板７のうちの少なくとも一対の回路基板７３、７４は互いの主面７３ａ、７４ａを対向させて配設されている。それゆえ、一対の回路基板７３、７４の主面７３ａ、７４ａは同一平面上に位置することがなく、複数の回路基板７をその広がり方向に並んで配置する場合や、一枚の回路基板に必要な回路を納めて配置する場合に比べて、複数の回路基板７全体について、特定の方向への投影面積が大きくなることを抑制することができる。その結果、電力変換装置１の体格が特定方向へ大型化することを抑制することができ、小型化しやすい電力変換装置１を得ることができる。
【００３１】
また、本例では、トランス２は一対の回路基板７３、７４において対向する互いの上記主面７３ａ、７４ａの間に配設されている。これにより、トランス２が両主面７３ａ、７４ａの外側に配設されている場合に比べて、装置全体において、両主面７３ａ、７４ａに平行な方向への投影面積が大きくなることを抑制することができ、電力変換装置１の小型化に寄与する。
【００３２】
トランス２は、一次コイル２１又は二次コイル２２のうちの少なくとも一方が露出したコイル露出部２０ａが形成されているとともに、コイル露出部２０ａが一対の回路基板７３、７４のうちの少なくとも一方に対向するように配設されており、本例では回路基板７３に対向している。これにより、コイル露出部２０ａからの磁束の漏れにより生じる電磁ノイズが、当該コイル露出部２０ａに対向するように設けられた回路基板７３によって遮蔽されることにより、電力変換装置１の外部への電磁ノイズの漏えいを抑制することできる。
【００３３】
また、本例では、一次側回路部３はスイッチング回路部３ａを有するとともに、二次側回路部４は整流回路部４ａを有しており、トランス２、スイッチング回路部３ａを構成する一次側半導体部品３０、及び整流回路部４ａを構成する二次側半導体部品４０のうちの少なくとも一つを含む複数の電子部品を積層してなる積層体（第１積層体１１）が、一対の回路基板７３、７４において対向する上記互いの主面７３ａ、７４ａの間に位置するように配設されている。これにより、第１積層体１１が両主面７３ａ、７４ａの外側に配設されている場合に比べて、装置全体において、両主面７３ａ、７４ａに平行な方向への投影面積が大きくなることを抑制することができ、電力変換装置１の小型化に寄与する。
【００３４】
本例では、２つの積層体（第１積層体１１及び第２積層体１２）の両方が、一対の回路基板７３、７４において対向する互いの主面７３ａ、７４ａの間に位置するように配設されている。これにより、両積層体（第１積層体１１及び第２積層体１２）を主面７３ａ、７４ａの外側に配設した場合に比べて、装置全体の小型化にさらに寄与する。
【００３５】
また、一次側回路部３は電力が入力される入力端子８１とスイッチング回路部３ａとの間に入力フィルタ回路部３ｂを有し、二次側回路部４は電力が出力される出力端子８２と整流回路部４ａとの間に出力フィルタ回路部４ｂを有し、複数の回路基板７は入力フィルタ回路部３ｂの一部又は出力フィルタ回路部４ｂの一部が少なくとも形成された回路基板７３、７４を有し、一対の回路基板７３、７４のうちの一方は入力フィルタ回路部３ｂの一部を形成する回路基板７３であり、他方は出力フィルタ回路部４ｂの一部を形成する回路基板７４である。これにより、入力フィルタ回路部３ｂと出力フィルタ回路部４ｂを有する電力変換装置１において、その体格が特定方向へ大型化することを抑制することができ、電力変換装置１の小型化に寄与する。
【００３６】
本例では、入力端子８１と出力端子８２との間に、一対の回路基板７３、７４が配設されている。これにより、一対の回路基板７３、７４の外側に入力端子８１及び出力端子８２がそれぞれ位置することとなるため、入力端子８１及び出力端子８２が一対の回路基板７３、７４の内側に位置する場合に比べて装置全体の小型化に寄与する。
【００３７】
また、一対の回路基板７３、７４の少なくとも一方（本例では、回路基板７３）は、該回路基板７３の第１主面７３ａに平行に積層されて形成された接地導体層７３ｃを有する。これにより、トランス２からの電磁ノイズを当該接地導体層７３ｃによって遮蔽して、電磁ノイズが電力変換装置１の外部へ放出されることを一層抑制することができる。
【００３８】
本例では、一対の回路基板７３、７４は、一方の回路基板７３に生じる第１の磁界７３ｄの向きと、他方の回路基板７４に生じる第２の磁界７４ｄの向きとが、反対方向となるように配設されている。これにより、図３に示すように、例えば、第２の磁界７４ｄの一部の磁束７４１ｄ、７４２ｄが第１の磁界７３ｄ近傍に到達してその一部と内打ち消し合うこととなるため、当該打ち消し合う領域において電磁ノイズの発生を抑制することができる。なお、第１の磁界７３ｄの一部と第２の磁界７４ｄの一部とが互いに打ち消し合う領域の範囲は、一対の回路基板７３、７４の配置、両基板７３、７４に搭載された電子部品の配置、両基板７３、７４のそれぞれに形成された配線パターンの形状や配置等によって適宜調整することができる。そして、これらに基づいて当該領域を電磁ノイズの発生を抑制することが求められる領域に合わせるようにすることができる。
【００３９】
本例では、複数の回路基板７における回路基板はそれぞれ別体としたが、これに限らず、複数の回路基板７のうち一部の回路基板を、連続形成されたフレキシブル基板によって構成することとしてもよい。例えば、図４に示すように、回路基板７１、７３をフレキシブル基板によって連続形成し、回路基板７１、７３との間の湾曲部７３０を介して、略直角となるように配された両者を繋がった状態とすることができる。この場合においても、実施例１と同等の作用効果を奏する。なお、回路基板７２、７４においても同様に両者をフレキシブル基板によって連続形成して、略直角となるように配された両者を繋がった状態とすることができる。
【００４０】
以上のごとく、本例によれば、小型化しやすい電力変換装置１を提供することができる。
【００４１】
（実施例２）
本例の電力変換装置１を図５、図６に示す。なお、実施例１の場合と同一の構成要素には同一の符号を付して、その説明を省略する。
本例の電力変換装置１では、図５に示ように、第１積層体１１は、実施例１における第１積層体１１（図１参照）と配設方向が平面視で９０°異なっている。これに伴って、回路基板７３は、実施例１の場合と配設方向が平面視で９０°異なっている。そして、図６に示すように、第１積層体１１は、ケース８の内側底面８０ａに平行に配置された回路基板７１の上（内側底面８０ａと反対側の面）に配設されている。また、図示しないが、第２積層体１２も第１積層体１１と同様に、ケース８の内側底面８０ａに平行に配置された回路基板７２の上（内側底面８０ａと反対側の面）に配設されている。そして、回路基板７１と回路基板７２とは、ともに両者の主面７１ａ、７２ａが同一平面上に位置している。また、図５に示すように、回路基板７３に対して第１積層体１１をまたいで反対側には、制御回路部９が形成された回路基板７５が設けられている。そして、回路基板７３と回路基板７５は互いに対向するように配置されている。
【００４２】
本例では、回路基板７３の主面７３ａは、回路基板７４の主面７４ａに対向していないが、回路基板７５の一方の主面７５ａに対向している。そして、回路基板７３と回路基板７５との間に、トランス２を含む第１積層体１１が配設されている。これにより、本例においても、実施例１の場合と同等の作用効果を奏する。
【００４３】
（実施例３）
本例の電力変換装置１を図７に示す。なお、実施例１又は実施例２の場合と同一の構成要素には同一の符号を付して、その説明を省略する。
本例の電力変換装置１は、図７に示すように、実施例２の場合と同様に、第１積層体１１は回路基板７１の上に配設されている。一方、第２積層体１２は、実施例２の場合に対して、配設方向が平面視で９０°異なっている。これに伴って、回路基板７４は、実施例２の場合と配設方向が平面視で９０°異なっている。入力フィルタ回路部３ｂが形成されている回路基板７３は、その主面７３ａが回路基板７１の主面に対する法線方向に平行となるように回路基板７１の一端側に配設されている。出力フィルタ回路部４ｂが形成されている回路基板７４は、その主面７４ａが回路基板７２の主面に対する法線方向に平行となるように回路基板７２の一端側に配設されている。そして、回路基板７３、７４は回路基板７１、７２に対して同じ側において、それぞれの主面７３ａ、７４ａが同一平面上に位置するように配設されている。
【００４４】
一方、回路基板７１、７２が配置される側と反対側には、制御回路部９が形成されている回路基板７５が配設されている。回路基板７５はその長手方向の長さが、他の回路基板７１、７２、７３、７４よりも長くなっており、その主面７５ａが回路基板７１及び回路基板７２の両主面に対する法線方向に平行となるように配設されている。そして、回路基板７５は、回路基板７１、７２に対して、回路基板７３、７４と反対側に配設されている。これにより、回路基板７３、７４と回路基板７５とが、回路基板７１及び回路基板７２を挟むこととなり、主面７３ａ、７４ａとこれらに対向する主面７５ａとの間に、第１積層体１１及び第２積層体１２が配設されることとなっている。そして、回路基板７３の主面７３ａは第１積層体１１に対向し、回路基板７４の主面７４ａは第２積層体１２に対向している。
【００４５】
本例によれば、長手方向の長さが他の回路基板７１、７２、７３、７４の長手方向の長さよりも長い回路基板７５を備える電力変換装置１においても、各回路基板７１、７２、７３、７４、７５を上記の通り配設することにより、複数の回路基板全体について、特定の方向への投影面積が大きくなることを抑制することができる。これにより、電力変換装置１の小型化に寄与する。
【００４６】
上記複数の実施例において、各回路基板に形成する回路は、上記実施例に示したものに限られず、各回路基板には、一次側回路部の一部、二次側回路部の一部、制御回路部のいずれか一つ以上が形成されていればよい。
【符号の説明】
【００４７】
１  電力変換装置
２  トランス
３  一次側回路部
３ａ  スイッチング回路部
３ｂ  入力フィルタ回路部
３０  一次側半導体部品
４  二次側回路部
４ａ  整流回路部
４ｂ  出力フィルタ回路部
４０  二次側半導体部品
７  回路基板
８１  入力端子
８２  出力端子
【図１】
2015073342.tif 000003
【図２】
2015073342.tif 000004
【図３】
2015073342.tif 000005
【図４】
2015073342.tif 000006
【図５】
2015073342.tif 000007
【図６】
2015073342.tif 000008
【図７】
2015073342.tif 000009